(57)【要約】【課題】バドミントン練習用シャトルコック取り出し部分の開閉装置【解決手段】シャトルコックが傷ついて径の小さくなった羽根でも、新品の標準羽根径のどちらでもスムーズに通過できるように、また取り出し口に留まることの出来るように開閉ゲートを設置する。バネを使いゲートを閉じておく。シャトルコックが通過するとき開閉ゲートピースが回転軸を基に開く。ソフトな開閉なので羽根を痛めない。バネにはねじりバネや板バネを使う。その他スポンジなど伸縮性のある材料。また、ゲートの開閉はバネだけでなく磁石を使う方法がある。これはＮ極どうしまたは、Ｓ極の同極どうしを隣接させ、反発する力を利用するのである。シャトルコックを素早く取り出すために供給筒を二或いは、それ以上束ねて設置する。【選択図】図２
2005305066.tif 000002
【特許請求の範囲】
【請求項１】
バドミントンの練習時、シャトルコックの引き出し装置。
筒下部シャトルコック取り出し口において、開閉ゲートピースがバネを利用して、シャトルコックが通過する度に開閉する仕組み。
【請求項２】
筒下部シャトルコック取り出し口において、開閉ゲートピースが磁石を利用して、シャトルコックが通過する度に開閉する仕組み。
【請求項３】
筒下部シャトルコック取り出し口において、開閉ゲートピースがスポンジ等の伸縮材を利用して、シャトルコックが通過する度に開閉する仕組み。
【請求項４】
筒下部シャトルコック取り出し口において、薄板ゴム等で口を塞ぎそれにスリット切り込みを入れシャトルコックを取り出しやすくする仕組み。
【発明の詳細な説明】
【技術分野】
【０００１】本考案はバドミントンの練習時、シャトルコック取り出し装置の筒にシャトルコックを設置する際、シャトルコックの羽根径が違っていても床下に落ちてしまわない開閉ゲートを備えたシャトルコック供給器具です。
【背景技術】
【０００２】バドミントンの練習時、コーチ等が早いリズムでシャトルコックをノックし、選手がこれを打ち返す練習がある。この際、コーチ等はシャトルコックを補助者あるいは、特許文献１，２，３、４にみられるシャトルコック取り出し装置と称されるものから受け取っていた。この取り出し部分は、シャトルコックの羽根径の大きさによっては、引き出す際に羽根を痛めてしまうものがあった。また、取り出し口を通り抜けて床に落ちてしまうものがあった。【０００３】
【特許文献１】  実開平６−２３５６１号広報
【特許文献２】  実開平６−４６７５８号広報
【特許文献３】  特開平９−１１７５３９号広報
【特許文献４】  特開２００３−１７５１３８号広報
【発明の開示】
【発明が解決しようとする課題】
【０００４】練習時に使う羽根の大きさは、使用程度により様々である。シャトルコックの羽根が通過する取り出し口の大きさや形の違いによって傷付かないように、変形しないように、また床に落ちてしまわないようにする必要がある。特許文献１には取り出し口をシャトルコックの種類によりその都度取替る考案もあるが、どんな羽根の形でも大きさでも対応したい。
【課題を解決するための手段】
【０００５】筒下部にシャトルコックが確実に止まるように開閉ゲートを設置する。開閉ゲートにはバネと開閉ゲートピースを利用する。これにより引き出す時はゲートが開き、引き出した後はバネにより引き戻され再び閉じて次のシャトルコックが下に落ちてしまわないようになっている。また、ゲートの開閉にはバネだけでなく磁石を使う方法がある。これはＮ極どうしまたは、Ｓ極とＳ極の同極どうしでは反発する力を利用するのである。バネの反発力、磁石の同極どうしの相反する力の程度はいずれもシャトルコックの通過がソフトに行われる強さにする。【０００６】シャトルコックを素早く取り出すために供給筒を二或いはそれ以上束ねて設置する。
【発明の効果】
【０００７】取り出し口先直径が大きいと、羽根が傷んで径が小さくなったシャトルコックは筒内に留まらないで落ちてしまう。反対にこの口先の直径を小さくすると、新品のシャトルは羽根が大きいので引き出す度に羽根が極端に狭められて傷んでしまう。開閉ゲートの設置で新品の羽根でも、傷ついて径の小さくなった羽根でも、シャトルコックを取り出す時はソフトに開くので羽根を痛めない。また、取り出し口を通り抜けてしまうことはない。確実に止まる。
【発明を実施するための最良の形態】
【実施例】
【０００８】開閉ゲートはピースにねじりバネの足の片方を取り付け、もう一方を筒本体に固定し、回転軸を基にピースが回転して閉じたり開いたりするのである。羽根の最小径を基準としてピースを取り付ける。開閉ゲートピースは上下或いは左右対称に二枚取り付ける方法と一枚だけを取り付ける方法がある。
また、ゲートの開閉はバネだけでなく磁石を使う方法がある。これはＮ極とＮ極、Ｓ極とＳ極の同極どうしでは反発する性質を利用するのである。ピース側に磁石を貼り付け、筒にはピースと同極側の磁石を取り付ける。同極どうしを隣接させ、反発する力を利用するのである。これも開閉ゲートピースはバネによる方法と同様に上下或いは左右対称に二枚取り付ける方法と一枚だけを取り付ける方法がある。
シャトルコック供給筒２上部からシャトルコック４の頭部を下にして次々に入れる。シャトルコック４は傾斜した筒の中を自重で下落していく。しかし、筒下部取り出し口では開閉ゲートが閉まっていることにより頭部と羽根の半分程度出てくるが、羽根が引っ掛かって下に落ちてしまわない構造になっている。開閉ゲートは、バネ或いは磁石によってシャトルコックの通過により自動的に開閉する。引き出すときゲートが開き、シャトルコックはソフトに取り出され、引き出した次の瞬間バネ或いは磁石の反発力でゲートが閉じ、次のシャトルコックが床に落ちない仕組みにしてある。先端頭部を手で引き出してゆくと順次自動的にシャトルコック頭部が出てくるので、これを引き出しながら連続してノックできる。
【図面の簡単な説明】
【図１】ねじりバネにより開閉ゲートが開いている状態の斜視図。開閉ゲートピースは上下或いは左右対称に二枚取り付ける方法と一枚だけを取り付ける方法がある。
【図２】シャトルコックを引き出す時、開閉ゲートが開いている状態の斜視図。開閉ゲートピース二枚を使った時を示す。
【図３】シャトルコックを取り出す時の断面図。開閉ゲートが開いている状態でシャトルコックがスムーズに通りぬける。通り抜けた次の瞬間にバネにより開閉ゲートピースが閉じる。開閉ゲートピース二枚を使った時を示す。
【図４】ねじリバネにより開閉ゲートが閉じている状態の斜視図。バネの代りにスポンジ等の伸縮材による開閉方法もある。
【図５】開閉ゲートが閉じている状態の斜視図。シャトルコックが床下に落ちない。開閉ゲートピース二枚を使った時を示す。
【図６】シャトルコックを設置した時の断面図。シャトルコック羽根の部分は開閉ゲートピースにより押えられ、頭部だけ出て止まっており床下に落ちない。
【図７】磁石による開閉方法で、ゲートが開いている時の斜視図と断面図。シャトルコックは取り出す時、回転軸を基にピースが開きスムーズに取り出せる。通り抜けた次の瞬間に磁石の反発力によりゲートピースが押されて閉じられる。そのため次のシャトルコックが留まる事が出来る。
【図８】磁石による開閉方法で、ゲートが閉じている時の斜視図と断面図。磁石の同極同士を隣接させ、反発力によりゲートが閉じている状態の斜視図。開閉ゲートピースは上下或いは左右対称に二枚取り付ける方法と一枚だけを取り付ける方法があるが、この図と図７はは上側一枚の時を示す。
【図９】取り出し口部分に薄板ゴムを貼り付け中心をくりぬき、スリットを付けた斜視図。
【図１０】図９を上から見た断面図。シャトルコックが通りぬける時はスリットが開きゴムが伸びスムーズに通りぬける。
【図１１】シャトルコック供給器全体の利用図。円筒は任意の長さ。円筒は伸縮式にも出来る。
【符号の説明】
１：開閉ゲートピース。上下或いは左右対称に二枚取り付ける方法と片側一枚だけを取り付ける方法がある。
２：シャトルコック供給筒
３：ねじりバネ
４：シャトルコック
５：開閉ゲートピースの固定回転軸
６：磁石
７：ゴム薄板
８：カメラ用三脚
【図１】
2005305066.tif 000003
【図２】
2005305066.tif 000004
【図３】
2005305066.tif 000005
【図４】
2005305066.tif 000006
【図５】
2005305066.tif 000007
【図６】
2005305066.tif 000008
【図７】
2005305066.tif 000009
【図８】
2005305066.tif 000010
【図９】
2005305066.tif 000011
【図１０】
2005305066.tif 000012
【図１１】
2005305066.tif 000013